(57)【要約】【課題】  開閉カバーを開くことなく、現像剤を補充することが可能な画像形成装置を提供する。【解決手段】  開口部３Ｇを閉塞する位置と開口部３Ｇを開放する位置との間で変位可能な開閉カバー４と、開口部３Ｇを通して装置本体に着脱自在に装着可能なプロセスユニット６とを備え、プロセスユニット６が装置本体に装着され、かつ、開口部３Ｇが開閉カバー４により閉塞された状態において、プロセスユニット６の第１把持部１２Ａの少なくとも一部が、開口部３Ｇの縁部３Ｇと開閉カバー４の端部４Ｂとの間から外方側に突出している。これにより、利用者は、開閉カバー４を開いて開口部３Ｇの内部に手を挿入することなく第１把持部１２Ａを把持できる。したがって、開閉カバー４を開くことなく、現像剤を補充することが可能となる。【選択図】  図１
2015191173.tif 000002
【特許請求の範囲】
【請求項１】
電子写真方式の画像形成装置において、
開口部が設けられた筐体と、
前記開口部を閉塞する位置と前記開口部を開放する位置との間で変位可能な開閉カバーと、
現像剤が収容される収容部を有し、前記開口部を通して装置本体に着脱自在に装着可能なプロセスユニットであって、把持部を有するプロセスユニットとを備え、
前記プロセスユニットが前記装置本体に装着され、かつ、前記開口部が前記開閉カバーにより閉塞された状態において、前記把持部の少なくとも一部は、前記開口部の縁部と前記開閉カバーの端部との間から外方側に突出していることを特徴とする画像形成装置。
【請求項２】
画像形成が終了したシートが載置される排紙トレイを備え、
前記把持部は前記排紙トレイの少なくとも一部を構成することを特徴とする請求項１に記載の画像形成装置。
【請求項３】
前記把持部には、前記排紙トレイに向けて排出されたシートの移動を規制する規制壁が設けられていることを特徴とする請求項２に記載の画像形成装置。
【請求項４】
前記開閉カバーは、一端側が他端側を中心に揺動するように前記筐体に揺動可能に連結されており、
前記把持部のうち外方側に突出した部位は、前記一端側に位置していることを特徴とする請求項１ないし３のいずれか１項に記載の画像形成装置。
【請求項５】
画像形成が終了したシートが載置される排紙トレイを備え、
前記開閉カバーは前記排紙トレイの少なくとも一部を構成することを特徴とする請求項１ないし４のいずれか１項に記載の画像形成装置。
【請求項６】
前記プロセスユニットに設けられ、現像剤を担持する感光体と、
前記感光体を走査しながら露光する露光器と、
前記プロセスユニットより鉛直方向下方側に設けられた給紙トレイであって、前記感光体に向けて供給されるシートが載置される給紙トレイと、
画像形成が終了したシートが載置される排紙トレイとを備え、
前記排紙トレイに向けて排出されるシートの排出方向前進側を前方側としたとき、
前記感光体及び前記露光器は、前方側から順に、前記露光器、前記感光体の順に並んでおり、
前記排紙トレイは前記プロセスユニットより鉛直方向上方側に設けられ、かつ、前記給紙トレイから前記排紙トレイに至るシートの搬送経路が、前記シートの排出方向と平行な仮想鉛直面に投影されたとき、当該投影された搬送経路は、前記露光器の鉛直方向下方側の部位、及び前記感光体よりシート搬送方向下流側の部位にて屈曲してＳ字状の曲線を描いており、
前記露光器は、前記把持部より鉛直方向下方側に配置されていることを特徴とする請求項１ないし５のいずれか１項に記載の画像形成装置。
【請求項７】
仮想水平面に投影された前記把持部の突出方向先端は、当該仮想水平面に投影された前記露光器から前方側に離隔した位置にあることを特徴とする請求項６に記載の画像形成装置。
【請求項８】
前記把持部のうち前記排紙トレイの少なくとも一部を構成する部分の幅方向寸法は、前記排紙トレイの幅方向寸法より小さいことを特徴とする請求項２又は３に記載の画像形成
装置。
【請求項９】
前記収容部は、前記プロセスユニットに対して着脱自在であることを特徴とする請求項１ないし８のいずれか１項に記載の画像形成装置。
【請求項１０】
前記把持部は、前記プロセスユニットのうち前記収容部に設けられていることを特徴とする請求項９に記載の画像形成装置。
【請求項１１】
前記把持部は、前記プロセスユニットのうち前記収容部が着脱自在に組み付けられた支持体に設けられていることを特徴とする請求項９に記載の画像形成装置。
【発明の詳細な説明】
【技術分野】
【０００１】
本発明は、シートに画像を形成する電子写真方式の画像形成装置に関する。
【背景技術】
【０００２】
例えば、特許文献１に記載の発明では、現像剤を使い切った場合には、現像剤が収納されたプロセスカートリッジ等を交換する必要がある。
そして、現像カートリッジを装置本体から取り外す際には、利用者は、画像形成装置の前面側に設けられたフロンカバーを開いた後、内部に手を挿入してプロセスカートリッジ等を把持して取り外す必要がある。
【０００３】
なお、装置本体とは、筐体やフレーム等の利用時に利用者により分解等されない部分をいう。
【先行技術文献】
【特許文献】
【０００４】
【特許文献１】特開２００６−５３２５４号公報
【発明の概要】
【発明が解決しようとする課題】
【０００５】
特許文献１に記載の発明では、上記したように、利用者は、プロセスカートリッジ等を交換する際に、フロントカバー等の開閉カバーを開いた後、内部に手を挿入する必要がある。
【０００６】
本発明は、上記点に鑑み、装置本体内部に手を挿入しなくても、装置本体内のプロセスカートリッジにアクセスすることが可能な画像形成装置を提供することを目的とする。
【課題を解決するための手段】
【０００７】
本発明は、上記目的を達成するために、電子写真方式の画像形成装置において、開口部（３Ｇ）が設けられた筐体（３）と、開口部（３Ｇ）を閉塞する位置と開口部（３Ｇ）を開放する位置との間で変位可能な開閉カバー（４）と、現像剤が収容される収容部（７Ｂ）を有し、開口部（３Ｇ）を通して装置本体に着脱自在に装着可能なプロセスユニットであって、把持部（１２Ａ）を有するプロセスユニット（６）とを備え、プロセスユニット（６）が装置本体に装着され、かつ、開口部（３Ｇ）が開閉カバー（４）により閉塞された状態において、把持部（１２Ａ）の少なくとも一部は、開口部（３Ｇ）の縁部（３Ｊ）と開閉カバー（４）の端部（４Ｂ）との間から外方側に突出していることを特徴とする。
【０００８】
これにより、本発明では、利用者は、開閉カバー（４）を開いて開口部（３Ｇ）の内部に手を挿入することなく把持部（１２Ａ）を把持できる。したがって、装置本体内部に手を挿入しなくても、装置本体内のプロセスユニット（６）にアクセスすることが可能となる。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の第１実施形態に係る画像形成装置１の中央断面図である。
【図２】（ａ）は本発明の第１実施形態に係る支持体６Ａの断面図である（ｂ）は本発明の第１実施形態に係る現像カートリッジ７の断面図である。
【図３】本発明の第１実施形態に係るプロセスユニット６の上面図である。
【図４】本発明の第１実施形態に係る画像形成装置１の中央断面図である。
【図５】本発明の第１実施形態に係る画像形成装置１の中央断面図である。
【図６】本発明の第１実施形態に係る画像形成装置１の中央断面図である。
【図７】（ａ）は本発明の第２実施形態に係る支持体６Ａの断面図である（ｂ）は本発明の第２実施形態に係るプロセスユニット６の断面図である。
【図８】本発明の第２実施形態に係る画像形成装置１の中央断面図である。
【図９】本発明の第２実施形態に係る画像形成装置１の中央断面図である。
【図１０】本発明の第２実施形態に係る画像形成装置１の中央断面図である。
【図１１】本発明の第２実施形態に係る画像形成装置１の中央断面図である。
【図１２】本発明の第３実施形態に係るプロセスユニット６の断面図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
そして、本実施形態は、モノクロ方式の画像形成装置に本発明を適用したものである。以下、本発明の実施形態を図面と共に説明する。
なお、各図に付された方向を示す矢印等は、各図相互の関係を理解し易くするために記載したものであり、本発明は、各図に付された方向に限定されるものではない。少なくとも符号を付して説明した部材又は部位は、「複数」や「２つ以上」等の断りをした場合を除き、少なくとも１つ設けられている。
【００１３】
（第１実施形態）
１．画像形成装置の概要
本実施形態に係る画像形成装置１は、図１に示すように、プリンタ部１Ａとスキャナ部１Ｂとが一体となったものである。プリンタ部１Ａは用紙等のシートに画像を形成する印刷装置である。スキャナ部１Ｂは原稿に記載された画像（文字も含む。）を読み取る画像読取装置である。
【００１４】
スキャナ部１Ｂは、プリンタ部１Ａの鉛直方向上方側に配設されている。スキャナ部１Ｂの鉛直方向下方側には、画像形成が終了したシートが載置される排紙トレイ３Ｂが設けられている。
【００１５】
スキャナ部１Ｂは、プリンタ部１Ａに対してヒンジ部１Ｃを介して揺動可能に連結されている。ヒンジ部１Ｃは、プリンタ部１Ａの鉛直方向上方側であって、プリンタ部１Ａの後方側に設けられている。
【００１６】
プリンタ部１Ａの後方側とは、排紙トレイ３Ｂに向けて排出されるシートの排出方向前進側を前方側としたとき、当該前方側と反対側をいう。なお、図１の紙面右側がプリンタ部１Ａの前方側である。図１の紙面左側がプリンタ部１Ａの後方側である。
【００１７】
２．プリンタ部の構成
プリンタ部１Ａの筐体３内には、シートに画像を形成する画像形成部５が収納されている。筐体３の鉛直方向上部には排紙口３Ａ及び排紙トレイ３Ｂが設けられている。排紙口３Ａは画像が形成されたシートが排出される部位である。
【００１８】
排紙トレイ３Ｂには排紙口３Ａから排出されたシートが載置される。排紙口３Ａには、シートを排紙トレイ３Ｂに送り出す排紙ローラ３Ｃが設けられている。なお、排紙ローラ３Ｃは、排出されたシートを排紙トレイ３Ｂに向けて送り出す場合と当該シートの搬送方向を反転させて画像形成部５に再搬送する場合とを切り替えることができる。
【００１９】
筐体３は、トップカバー３Ｄ、一対のサイドカバー（図示せず。）、フロントカバー３Ｅ及びリアカバー３Ｆ等を有して構成されている。トップカバー３Ｄは、プリンタ部１Ａの鉛直方向上面を覆う。サイドカバーは、プリンタ部１Ａの右側面及び左側面を覆ってプリンタ部１Ａの外観意匠面を構成する。
【００２０】
フロントカバー３Ｅはプリンタ部１Ａの前側面を覆ってプリンタ部１Ａの外観意匠面を構成する。リアカバー３Ｆはプリンタ部１Ａの後側面を覆ってプリンタ部１Ａの外観意匠面を構成する。
【００２１】
なお、フロントカバー３Ｅには手差供給口３Ｈが設けられている。手差供給口３Ｈは、後述するフィーダ機構１５によらず、直接的にシートを画像形成部５に供給するための開口部である。つまり、利用者が、手差供給口３Ｈにシートを挿入すると、画像形成部５は、当該挿入されたシートに対して画像形成を行う。
【００２２】
トップカバー３Ｄのうち排紙トレイ３Ｂに相当する部位には、鉛直方向上方側に向けて開口した開口部３Ｇが設けられている。開口部３Ｇは開閉カバー４により閉塞されている。開閉カバー４は、開口部３Ｇを閉塞する閉塞位置と開口部３Ｇを開放する開放位置との間で変位可能である。
【００２３】
開閉カバー４は、一端側が他端側を中心に揺動するようにヒンジ部４Ａを介してトップカバー３Ｄに揺動可能に連結されている。開閉カバー４に作用する重力は、開閉カバー４を閉塞位置に向けて変位させる。このため、開閉カバー４は、通常、閉塞位置に位置して開口部３Ｇを閉塞している。
【００２４】
開閉カバー４の上面は、シートが載置される排紙トレイ３Ｂの少なくとも一部を構成する。そして、開閉カバー４、つまり排紙トレイ３Ｂは、排紙口３Ａ側に近づくほど低くなる傾斜面にて構成されている。ヒンジ部４Ａは、開閉カバー４の最下端部、つまり開閉カバー４のうち排紙口３Ａ側の端部に設けられている。
【００２５】
画像形成部５は現像剤をシートに転写する電子写真方式の画像形成部である。当該画像形成部５は、プロセスユニット６、露光器９、転写部１１及び定着器１３等を有して構成されている。プロセスユニット６は、開口部３Ｇを通して装置本体に着脱自在に装着可能である。
【００２６】
つまり、利用者は、装置本体に装着されているプロセスユニット６を開口部３Ｇから取り外すことができるとともに、当該開口部３Ｇを通してプロセスユニット６を装置本体に装着することができる。
【００２７】
そして、開口部３Ｇは、装置本体に装着されたプロセスユニット６の鉛直方向上方側で開口している。このため、開閉カバー４、つまり排紙トレイ３Ｂは、プロセスユニット６の鉛直方向上方側に位置する。
【００２８】
プロセスユニット６は、図２（ｂ）に示す現像カートリッジ７、及び図２（ａ）に示すドラムカートリッジ１０等が支持体６Ａを介して一体化されたものである。現像カートリッジ７は支持体６Ａに着脱自在に装着されている。ドラムカートリッジ１０は支持体６Ａ
に対して着脱不可として支持体６Ａに一体化されている。
【００２９】
現像カートリッジ７は、図２（ｂ）に示すように、現像ローラ７Ａ、供給ローラ７Ｃ及び収容部７Ｂ等を有している。収容部７Ｂには現像剤が収容されている。現像ローラ７Ａ及び供給ローラ７Ｃは、収容部７Ｂ内の現像剤を感光ドラム８に供給する。
【００３０】
ドラムカートリッジ１０は感光ドラム８及び帯電器８Ａ等を有する。つまり、プロセスユニット６は、感光ドラム８、帯電器８Ａ、現像ローラ７Ａ、供給ローラ７Ｃ及び収容部７Ｂ等を有する。したがって、収容部７Ｂは、プロセスユニット６全体として装置本体に対して着脱自在であり、かつ、現像カートリッジ７としても装置本体に対して着脱自在である。
【００３１】
感光ドラム８は現像剤像を担持する感光体である。帯電器８Ａは感光ドラム８を帯電させる。露光器９は帯電した感光ドラム８を露光する。これにより、感光ドラム８には静電潜像が形成される。なお、本実施形態に係る露光器９は、ビーム光を走査しながら感光ドラム８を露光する。
【００３２】
静電潜像が形成された感光ドラム８に現像剤が供給されると、感光ドラム８に現像剤像が形成される。感光ドラム８と対向する位置には、図１に示すように、転写部１１が配設されている。転写部１１は感光ドラム８に担持されている現像剤像をシートに転写させる。
【００３３】
定着器１３は、シートに転写された現像剤を直接的又は間接的に加熱し、現像剤像をシートに定着させる。画像形成部５よりシート搬送方向上流側には、フィーダ機構１５が設けられている。
【００３４】
フィーダ機構１５は、給紙トレイ１７に載置されているシートを１枚ずつ画像形成部５側に向けて送出する。給紙トレイ１７は、装置本体のうちプロセスユニット６より鉛直方向下方側において、装置本体に着脱自在に装着されている。
【００３５】
本実施形態では、プロセスユニット６及び露光器９は、排紙トレイ３Ｂをなす開閉カバー４より鉛直方向下方側に設けられているとともに、前方側から順に、露光器９、プロセスユニット６の順に並んでいる。具体的には、前方側から順に、露光器９、収容部７Ｂ、供給ローラ７Ｃ、現像ローラ７Ａ、感光ドラム８、定着器１３の順である。
【００３６】
給紙トレイ１７から排紙トレイ３Ｂに至るシートの搬送経路Ｌｏは、図１に示すように、シートの排出方向と平行な仮想鉛直面に投影されたとき、当該投影された搬送経路Ｌｏは、露光器９の鉛直方向下方側の部位、及び感光ドラム８よりシート搬送方向下流側の部位にて屈曲してＳ字状の曲線を描く。そして、露光器９は、少なくとも第１把持部１２Ａより鉛直方向下方側に位置する。
【００３７】
３．プロセスユニットの着脱
３．１  プロセスユニット等の構成
プロセスユニット６には、図３に示すように、第１把持部１２Ａ及び第２把持部１２Ｂが設けられている。第１把持部１２Ａ及び第２把持部１２Ｂは、プロセスユニット６等の着脱時に利用者により把持される部位である。
【００３８】
第１把持部１２Ａは現像カートリッジ７に設けられている。第２把持部１２Ｂは支持体６Ａに設けられている。したがって、現像カートリッジ７のみを装置本体から取り外す場合には、利用者は、第１把持部１２Ａを把持して第１把持部１２Ａを前方側に引き出せば
よい。
【００３９】
プロセスユニット６、つまり現像カートリッジ７及びドラムカートリッジ１０を装置本体から取り外す場合には、利用者は、第２把持部１２Ｂを把持して第１把持部１２Ａを前方側に引き出せばよい。
【００４０】
なお、第１把持部１２Ａと第２把持部１２Ｂとは、図３に示すように、プロセスユニット６等の着脱方向（本実施形態では、前後方向）にずれて設けられているので、利用者は、いずれか一方の把持部のみを把持することが可能である。
【００４１】
図１に示すように、プロセスユニット６が装置本体に装着され、かつ、開口部３Ｇが開閉カバー４により閉塞された状態において、第１把持部１２Ａの少なくとも一部は、開口部３Ｇの縁部３Ｊと開閉カバー４の端部４Ｂとの間から外方側に突出している。
【００４２】
すなわち、図３に示すように、開閉カバー４は、後端側にヒンジ部４Ａを有し、かつ、前端４Ｂが開口部３Ｇの前方側縁部３Ｊと一致する位置、又は当該縁部３Ｊに対して前方側若しくは後方側にずれた位置まで延びている。
【００４３】
第１把持部１２Ａは、開閉カバー４の端部４Ｂを越えてフロントカバー３Ｅまで延びている。なお、本実施形態では、第１把持部１２Ａのうち外方側に突出した部位（以下、突出部１２Ｃという。）は、フロントカバー３Ｅを越えて更に前方側まで延びている。
【００４４】
そして、第１把持部１２Ａの突出部１２Ｃは、排紙トレイ３Ｂの少なくとも一部を構成する。突出部１２Ｃには規制壁１２Ｄが設けられている。規制壁１２Ｄは、排紙トレイ３Ｂに向けて排出されたシートの移動を規制するストッパである。
【００４５】
具体的には、規制壁１２Ｄは、図１に示すように、その壁面が二点鎖線で示すようにシートの排出方向に対して交差した状態と、当該壁面が排出方向と略平行な状態との間で変位可能である。
【００４６】
そして、規制壁１２Ｄが排出方向に対して交差した状態では、排紙口３Ａから排出されたシートの排出方向前端が規制壁１２Ｄに衝突するため、排紙トレイ３Ｂに向けて排出されたシートの移動が規制される。
【００４７】
図３に示すように、仮想水平面に投影された第１把持部１２Ａの突出方向先端、つまり突出部１２Ｃの先端は、当該仮想水平面に投影された露光器９から前方側に離隔した位置にある。
【００４８】
そして、第１把持部１２Ａのうち排紙トレイ３Ｂの少なくとも一部を構成する部分、つまり、突出部１２Ｃの幅方向寸法Ｗ１は、排紙トレイ３Ｂ、つまり開閉カバー４の幅方向寸法Ｗ２より小さい寸法に設定されている。
【００４９】
３．２  プロセスユニット等の着脱作動
＜現像カートリッジ７の取り外し＞
現像カートリッジ７を装置本体から取り外すには、利用者は、図４に示すように、第１把持部１２Ａを把持して第１把持部１２Ａを前方側に引き出す。これにより、図４→図５→図６に示すように、現像カートリッジ７の移動とともに、開閉カバー４が現像カートリッジ７により内側から押圧されて自動的に開く。このため、利用者は、開閉カバー４を開くといった作業を行うことなく、現像カートリッジ７を装置本体から取り外すことができる。
【００５０】
なお、現像カートリッジ７を装置本体に装着する際には、利用者は、ヒンジ部１Ｃを中心としてスキャナ部１Ｂをプリンタ部１Ａから離間させるようにスキャナ部１Ｂを後方側に揺動変位させる。
【００５１】
そして、利用者が開閉カバー４の端部４Ｂを把持して持ち上げると、開閉カバー４がヒンジ部４Ａを中心に鉛直方向上方側へ揺動変位して開口部３Ｇが開放された状態となる。このため、利用者は、現像カートリッジ７を開口部３Ｇを通して装置本体に装着することが可能となる。
【００５２】
なお、支持体６Ａには第１案内部６Ｂ（図２（ａ）参照）が設けられている。現像カートリッジ７が支持体６Ａに装着される際には、現像カートリッジ７は、現像ローラ７Ａの軸の両端部が第１案内部６Ｂにより案内されることにより所定の位置に導かれる。
【００５３】
４．本実施形態に係る画像形成装置の特徴
本実施形態では、利用者は、開閉カバー４を開いて開口部３Ｇの内部に手を挿入することなく第１把持部１２Ａ及び第２把持部１２Ｂを把持できる。したがって、開閉カバー４を開くことなく、現像カートリッジ７及びドラムカートリッジ１０を装置本体から取り外すことができる。
【００５４】
第１把持部１２Ａ及び第２把持部１２Ｂは、開閉カバー４の端部のうちヒンジ部４Ａと反対側の端部側に設けられているので、現像カートリッジ７及びドラムカートリッジ１０を装置本体から取り外す際に、それらカートリッジ７、１０が通過可能な位置まで開閉カバー４が容易に変位できる。したがって、現像カートリッジ７及びドラムカートリッジ１０を装置本体から容易に取り外すことができる。
【００５５】
本実施形態では、プリンタ部１Ａの開口部３Ｇに面してスキャナ部１Ｂが設けられ、かつ、プロセスユニット６が露光器９よりも後方に位置するため、利用者はプロセスユニット６を視認し難いおそれがある。
【００５６】
しかし、本実施形態では、第１把持部１２Ａの前方に突出部１２Ｃがあるため、利用者が把持するもの、つまり第１把持部１２Ａの視認性を向上させることができるので、プロセスユニット６の交換作業性を向上させることができる。
【００５７】
本実施形態では、画像形成されたシートが排紙トレイ３Ｂに排出された場合においても、規制壁１２Ｄによりシートの移動が規制され、かつ、その先にある第１把持部１２Ａがシートに隠れることがない。したがって、利用者にとって第１把持部１２Ａの視認性が向上するので、プロセスユニット６の交換作業性を向上させることができる。
【００５８】
本実施形態では、プロセスユニット６をプリンタ部１Ａより取り出した後、開閉カバー４が自重で開口部３Ｇを閉じるため、装置本体内部に塵埃等が内部に侵入することを抑制できる。
【００５９】
（第２実施形態）
本実施形態は、図７（ａ）及び図７（ｂ）に示すように、第１把持部１２Ａが支持体６Ａに設けられ、第２把持部１２Ｂが現像カートリッジ７に設けられたものである。
【００６０】
なお、現像カートリッジ７に設けられた第２把持部１２Ｂは、図８に示すように、開閉カバー４から外方側に突出していない。このため、本実施形態では、以下の方法で現像カートリッジ７を取り外すことができる。
【００６１】
＜プロセスユニット（ドラムカートリッジ１０）の取り外し＞
プロセスユニット（ドラムカートリッジ１０）を取り外すとは、支持体６Ａを装置本体から取り外すことである。したがって、利用者は、図９に示すように、第２把持部１２Ｂを把持して第２把持部１２Ｂを前方側に引き出す。
【００６２】
これにより、図９→図１０→図１１に示すように、プロセスユニット６（支持体６Ａ）の移動とともに、開閉カバー４が支持体６Ａにより内側から押圧されて自動的に開く。このため、利用者は、開閉カバー４を開くといった作業を行うことなく、支持体６Ａを装置本体から取り外すことができる。
【００６３】
支持体６Ａを装置本体に装着する方法は、現像カートリッジ７を装置本体に装着する方法と同じである。なお、装置本体には第２案内部６Ｃ（図１１参照）が設けられている。支持体６Ａが装置本体に装着される際には、支持体６Ａは、第２案内部６Ｃにより所定の位置に導かれる。
【００６４】
因みに、本実施形態は、第１把持部１２Ａ及び第２把持部１２Ｂが共に開閉カバー４から外方側に突出した構成であってもよい。
（第３実施形態）
上述の実施形態では、現像カートリッジ７がプロセスユニット６（支持体６Ａ）から着脱自在であったが、本実施形態は、図１２に示すように、現像カートリッジ７を支持体６Ａに対して着脱不可として一体化したものである。
【００６５】
このため、本実施形態では、第１把持部１２Ａは支持体６Ａに設けられている。そして、第２把持部１２Ｂは設けられていない。
（その他の実施形態）
上述の実施形態では、シートの搬送経路ＬｏがＳ字状であったが、本発明はこれに限定されるものではない。
【００６６】
上述の実施形態では、第１把持部１２Ａに規制壁１２Ｄが設けられていたが、本発明はこれに限定されるものではなく、例えば規制壁１２Ｄを廃止してもよい。
上述の実施形態では、第１把持部１２Ａは排紙トレイ３Ｂの一部を構成していたが、本発明はこれに限定されるものではない。
【００６７】
上述の実施形態では、開閉カバー４は排紙トレイ３Ｂの一部を構成していたが、本発明はこれに限定されるものではない。
上述の実施形態では、プリンタ部１Ａの鉛直方向上方側にスキャナ部１Ｂが設けられていたが、本発明はこれに限定されるものではなく、スキャナ部１Ｂを廃止してもよい。
【００６８】
また、本発明は、特許請求の範囲に記載された発明の趣旨に合致するものであればよく、上述の実施形態に限定されるものではない。
【符号の説明】
【００６９】
１… 画像形成装置  １Ａ… プリンタ部  １Ｂ… スキャナ部
３… 筐体  ３Ａ… 排紙口  １Ｃ… ヒンジ部  ３Ｂ… 排紙トレイ
３Ｃ… 排紙ローラ  ３Ｄ… トップカバー  ３Ｅ… フロントカバー
３Ｆ… リアカバー  ３Ｈ… 手差供給口  ３Ｇ… 開口部  ４… 開閉カバー
４Ａ… ヒンジ部  ５… 画像形成部  ６… プロセスユニット  ６Ａ… 支持体
６Ｂ… 第１案内部  ６Ｃ… 第２案内部  ７… 現像カートリッジ
７Ａ… 現像ローラ  ７Ｂ… 収容部  ７Ｃ… 供給ローラ  ８… 感光ドラム
８Ａ… 帯電器  ９… 露光器  １０… ドラムカートリッジ  １１… 転写部
１２Ａ… 第１把持部  １２Ｂ… 第２把持部  １２Ｃ… 突出部
１２Ｄ… 規制壁  １３… 定着器  １５… フィーダ機構  １７… 給紙トレイ
【図１】
2015191173.tif 000003
【図２】
2015191173.tif 000004
【図３】
2015191173.tif 000005
【図４】
2015191173.tif 000006
【図５】
2015191173.tif 000007
【図６】
2015191173.tif 000008
【図７】
2015191173.tif 000009
【図８】
2015191173.tif 000010
【図９】
2015191173.tif 000011
【図１０】
2015191173.tif 000012
【図１１】
2015191173.tif 000013
【図１２】
2015191173.tif 000014